(57)【要約】【課題】金銭を投入が終了したと認定することができる会計装置、及びプログラムを提供する。【解決手段】会計装置は、受付手段と、操作手段と、認定手段とを備える。前記受付手段は、金銭の投入を受け付ける。前記操作手段は、前記金銭の投入が終了したことを示す終了操作を受け付ける。前記認定手段は、取引の合計金額以上の金銭を受け付けた後、設定時間以上経過したことを条件に、前記金銭の投入が終了したと認定する。【選択図】図３
2020060831.tif 000002
【特許請求の範囲】
【請求項１】
金銭の投入を受け付ける受付手段と、
前記金銭の投入が終了したことを示す終了操作を受け付ける操作手段と、
取引の合計金額以上の金銭を受け付けた後、設定時間以上経過したことを条件に、前記金銭の投入が終了したと認定する認定手段と、
を備える会計装置。
【請求項２】
前記設定時間を設定する設定手段を更に備える、
請求項１に記載の会計装置。
【請求項３】
前記設定手段は、前記受付手段が受け付けた投入金額と取引の前記合計金額とが同一の場合と、前記投入金額が取引の前記合計金額よりも多い場合と、で異なる前記設定時間を設定する、
請求項２に記載の会計装置。
【請求項４】
前記操作手段は、会計処理に関する操作を受け付け、
前記認定手段は、前記操作手段が会計処理に関する操作を受け付けたことを条件に、前記設定時間の計測時間に初期値を設定する、
請求項１乃至３の何れか一項に記載の会計装置。
【請求項５】
前記認定手段は、前記受付手段が前記金銭の投入を受け付けたことを条件に、前記設定時間の計測時間に初期値を設定する、
請求項１乃至４の何れか一項に記載の会計装置。
【請求項６】
コンピュータを、
金銭の投入を受け付ける受付手段と、
前記金銭の投入が終了したことを示す終了操作を受け付ける操作手段と、
取引の合計金額以上の金銭を受け付けた後、設定時間以上経過したことを条件に、前記金銭の投入が終了したと認定する認定手段と、
して機能させるためのプログラム。
【発明の詳細な説明】
【技術分野】
【０００１】
本発明の実施形態は、会計装置、及びプログラムに関する。
【背景技術】
【０００２】
従来、スーパーマーケットやコンビニエンスストア等の店舗で顧客自身の操作で会計処理を行う会計装置が知られている。このような会計装置は、例えば特許文献１に記載されているように、金銭を投入した後に投入が終了したことを示すボタン等を押下することで、釣銭の排出等の処理が実行される。
【０００３】
しかしながら、会計装置に不慣れな顧客は、ボタン等を押下せずに、待機してしまう。この場合、会計装置は、金銭を投入が終了していないと判定し、会計処理を終了することができない。
【発明の概要】
【発明が解決しようとする課題】
【０００４】
本発明が解決しようとする課題は、金銭を投入が終了したと認定することができる会計装置、及びプログラムを提供することである。
【課題を解決するための手段】
【０００５】
実施形態の会計装置は、受付手段と、操作手段と、認定手段とを備える。前記受付手段は、金銭の投入を受け付ける。前記操作手段は、前記金銭の投入が終了したことを示す終了操作を受け付ける。前記認定手段は、取引の合計金額以上の金銭を受け付けた後、設定時間以上経過したことを条件に、前記金銭の投入が終了したと認定する。
【図面の簡単な説明】
【０００６】
【図１】図１は、会計装置の外観の一例を示す斜視図である。
【図２】図２は、会計装置のハードウェア構成の一例を示すブロック図である。
【図３】図３は、会計装置が備える特徴的な機能構成の一例を示すブロック図である。
【図４】図４は、第１会計案内画面の一例を示す説明図である。
【図５】図５は、第２会計案内画面の一例を示す説明図である。
【図６】図６は、第３会計案内画面の一例を示す説明図である。
【図７】図７は、第４会計案内画面の一例を示す説明図である。
【図８】図８は、会計装置が実行する計測処理の一例を示すフローチャートである。
【発明を実施するための形態】
【０００７】
以下、添付図面を参照して、会計装置、及びプログラムの実施形態を詳細に説明する。なお、以下に説明する実施形態は、会計装置、及びプログラムの一実施形態であって、その構成や仕様等を限定するものではない。本実施形態の会計装置、及びプログラムは、セミセルフチェックアウトシステムの会計装置への適用例である。
【０００８】
セミセルフチェックアウトシステムは、店員が販売対象の商品を登録し、顧客が商品の会計を行うチェックアウトシステムである。セミセルフチェックアウトシステムは、商品登録装置と、会計装置とを備えている。商品登録装置は、店員の操作により販売対象の商品を登録する装置である。会計装置は、商品登録装置が登録した商品の会計処理を顧客の操作により実行する装置である。商品登録装置と会計装置とは、ネットワーク等により通信可能に接続されている。
【０００９】
図１は、会計装置１０の外観の一例を示す斜視図である。会計装置１０は、筐体１１０の内部に釣銭部１２０（図２参照）を備えている。また、会計装置１０は、筐体１１０の上面に、プリンタ１３０と、カードリーダ１４０と、表示ポール１５０とを備える。そして、会計装置１０は、プリンタ１３０の上面に、表示部１６０を備える。
【００１０】
釣銭部１２０は、顧客から投入された金銭の収納と、釣銭の払出とを実行する釣銭機である。釣銭部１２０は、硬貨投入口１２１と、硬貨出金口１２２と、紙幣投入口１２３と、紙幣出金口１２４と、を備えている。釣銭部１２０は、硬貨投入口１２１に投入された硬貨を筐体１１０の内部に収納する。また、釣銭部１２０は、硬貨出金口１２２から硬貨の釣銭を払い出す。また、釣銭部１２０は、紙幣投入口１２３に投入された紙幣を筐体１１０の内部に収納する。また、釣銭部１２０は、紙幣出金口１２４から紙幣の釣銭を払い出す。なお、釣銭部１２０は、紙幣と硬貨との両方に限らず、紙幣又は硬貨の何れか一方の収納と払出とを実行する釣銭機であってもよい。
【００１１】
プリンタ１３０は、レシート発行口１３１を有している。プリンタ１３０は、一取引に係る各種情報を印字したレシートをレシート発行口１３１から発行する。
【００１２】
カードリーダ１４０は、プリンタ１３０の左横であって、筐体１１０の上面に載置される。カードリーダ１４０は、カード挿入口１４１から挿入されたクレジットカード等に対して情報の読み出しや書き込みを実行する。
【００１３】
また、会計装置１０は、筐体１１０の上面の後方側に円柱状の表示ポール１５０を備えている。表示ポール１５０は、上方の先端部に、会計装置１０の現在の状態に応じた色の光を発行する発光部１５１を備える。また、表示ポール１５０は、発光部１５１の下方に、番号表示部１５２を備える。番号表示部１５２は、会計装置１０を識別可能な会計装置コードを表示する液晶表示装置である。
【００１４】
表示部１６０は、会計装置１０の動作状態に関する情報を画像や文字で表示する液晶表示装置である。また、表示部１６０は、各種操作を受け付けるタッチパネル１６１を備える。
【００１５】
図２は、会計装置１０のハードウェア構成の一例を示すブロック図である。会計装置１０は、制御部１０１と、記憶部１０２と、通信インタフェース１０３と、釣銭部１２０と、プリンタ１３０と、カードリーダ１４０と、発光部１５１と、番号表示部１５２と、表示部１６０と、タッチパネル１６１とを備える。これら各部は、データバスやアドレスバス等のシステムバス１０４を介して相互に接続している。
【００１６】
制御部１０１は、会計装置１０の全体の動作を制御し、会計装置１０が有する各種の機能を実現するコンピュータである。制御部１０１は、ＣＰＵ（Central  Processing  Unit）と、ＲＯＭ（Read  Only  Memory）と、ＲＡＭ（Random  Access  Memory）とを備える。ＣＰＵは、会計装置１０の動作を統括的に制御する。ＲＯＭは、電力が供給されていなくても各種データを保持する不揮発性の記憶媒体である。ＲＡＭは、指定した領域に対してデータを読み書き可能な記憶媒体である。そして、ＣＰＵは、ＲＡＭをワークエリア（作業領域）としてＲＯＭ又は記憶部１０２等に格納されたプログラムを実行する。
【００１７】
記憶部１０２は、ＨＤＤ（Hard  Disk  Drive）やＳＳＤ（Solid  State  Drive）などの記憶装置である。記憶部１０２は、制御プログラム１０５と、同一待機時間設定部１０６と、超過待機時間設定部１０７とを記憶する。
【００１８】
制御プログラム１０５は、オペレーティングシステムや、会計装置１０が提供する機能を実現させるプログラムである。制御プログラム１０５には、本実施形態に係る機能を実現させるプログラムが含まれる。
【００１９】
同一待機時間設定部１０６は、一取引の合計金額と、投入された預り金額とが同一である場合に、金銭の投入が終了したと認定するまでの待機時間の設定である。同一待機時間設定部１０６は、例えば４．５秒である。超過待機時間設定部１０７は、一取引の合計金額よりも、投入された預り金額が多い場合に、金銭の投入が終了したと認定するまでの待機時間の設定である。超過待機時間設定部１０７は、例えば１．５秒である。
【００２０】
通信インタフェース１０３は、ネットワークに接続された商品登録装置等と通信するためのインタフェースである。
【００２１】
次に、会計装置１０が備える特徴的な機能について説明する。ここで、図３は、会計装置１０が備える特徴的な機能構成の一例を示すブロック図である。
【００２２】
会計装置１０の制御部１０１は、記憶部１０２の制御プログラム１０５をＲＡＭに展開し、制御プログラム１０５に従って動作することで、図３に示す各機能部をＲＡＭ上に生成する。具体的には、会計装置１０の制御部１０１は、機能部として、通信制御部１００１、操作制御部１００２、印字制御部１００３、表示制御部１００４、金銭制御部１００５、時間計測部１００６、終了認定部１００７、及び締め処理部１００８を備える。
【００２３】
通信制御部１００１は、通信インタフェース１０３を制御して、ネットワークに接続された装置との通信を制御する。例えば、通信制御部１００１は、商品登録装置との通信を制御する。例えば、通信制御部１００１は、商品登録装置から取引に関する各種情報が含まれた取引情報を受信する。取引情報には、例えば商品登録装置が登録した商品の合計金額を示す合計金額情報が含まれている。
【００２４】
操作制御部１００２は、タッチパネル１６１を制御した各種操作を受け付ける。
【００２５】
印字制御部１００３は、プリンタ１３０を制御して各種印刷物を発行する。例えば、印字制御部１００３は、一取引の明細が示されたレシートを発行する。
【００２６】
表示制御部１００４は、表示部１６０を制御して、各種画面を表示させる。例えば、表示制御部１００４は、金銭による会計が選択された場合に、会計処理の状況に応じた案内を示した会計案内画面を表示させる。会計案内画面には、例えば、第１会計案内画面Ｇ１と、第２会計案内画面Ｇ２と、第３会計案内画面Ｇ３と、第４会計案内画面Ｇ４とがある。図４は、第１会計案内画面Ｇ１の一例を示す説明図である。図５は、第２会計案内画面Ｇ２の一例を示す説明図である。図６は、第３会計案内画面Ｇ３の一例を示す説明図である。図７は、第４会計案内画面Ｇ４の一例を示す説明図である。
【００２７】
第１会計案内画面Ｇ１は、金銭が投入される前に表示する画面である。第１会計案内画面Ｇ１は、支払方法選択ボタンＧ１１と、メッセージＧ１２と、案内画像Ｇ１３と、会計表Ｇ１４とが含まれている。支払方法選択ボタンＧ１１は、支払方法を選択する選択画面に戻る操作を受け付けるボタンである。メッセージＧ１２は、顧客に対して金銭の投入を要求するメッセージである。案内画像Ｇ１３は、金銭の投入口を案内する画像である。会計表Ｇ１４は、顧客が支払う金額の合計を示す合計金額と、顧客が投入した金額を示すお預りと、合計金額とお預りとの差分である釣銭の金額を示すお釣りとを表示する表である。なお、第１会計案内画面Ｇ１は金銭が投入される前の画面であるため、会計表Ｇ１４のお預りには、０円と表示される。
【００２８】
第２会計案内画面Ｇ２は、金銭が投入された金銭の合計が、会計の合計金額に達していない場合に表示する画面である。第２会計案内画面Ｇ２は、支払方法選択ボタンＧ２１と、メッセージＧ２２と、案内画像Ｇ２３と、会計表Ｇ２４とが含まれている。支払方法選択ボタンＧ２１は、第１会計案内画面Ｇ１の支払方法選択ボタンＧ１１と同様の内容のボタンである。メッセージＧ２２は、第１会計案内画面Ｇ１のメッセージＧ１２と同様の内容のメッセージである。案内画像Ｇ２３は、第１会計案内画面Ｇ１の案内画像Ｇ１３と同様の内容の画像である。会計表Ｇ２４は、第１会計案内画面Ｇ１の会計表Ｇ１４と同様の内容の表である。しかし、第２会計案内画面Ｇ２は金銭の投入途中の画面であるため、会計表Ｇ２４のお預りには、０円ではなく投入された金銭の合計が表示される。
【００２９】
第３会計案内画面Ｇ３は、金銭が投入された金銭の合計が、会計の合計金額に達した場合に表示する画面である。第３会計案内画面Ｇ３は、支払方法選択ボタンＧ３１と、メッセージＧ３２と、案内画像Ｇ３３と、会計表Ｇ３４と、おわりボタンＧ３５とが含まれている。支払方法選択ボタンＧ３１は、第１会計案内画面Ｇ１の支払方法選択ボタンＧ１１と同様の内容のボタンである。メッセージＧ３２は、顧客に対して、おわりボタンＧ３５の押下を要求するメッセージである。案内画像Ｇ３３は、第１会計案内画面Ｇ１の案内画像Ｇ１３と同様の内容の画像である。会計表Ｇ３４は、第１会計案内画面Ｇ１の会計表Ｇ１４と同様の内容の表である。但し、合計金額以上の金銭が投入された場合に表示される画面のため、会計表Ｇ３４のお預りには投入された金銭の合計が表示され、お釣りには釣銭が表示される。おわりボタンＧ３５は、金銭の投入が終了したことを示す終了操作を受け付けるボタンである。また、おわりボタンＧ３５は、お預り金額が会計の合計金額以上となった場合に初めて表示されるものである。または、おわりボタンＧ３５は、お預り金額が会計の合計金額未満の場合でも表示しているもののグレーアウト状態で押下による受付は不可状態となっており、お預り金額が会計の合計金額以上となった場合にグレーアウト状態が解除されて押下による受付が可能となる様にしてもよい。
【００３０】
第４会計案内画面Ｇ４は、釣銭を排出する場合に表示する画面である。第４会計案内画面Ｇ４は、メッセージＧ４２と、案内画像Ｇ４３と、会計表Ｇ４４とが含まれている。メッセージＧ４２は、顧客に対して、釣銭の受け取りを要求するメッセージである。案内画像Ｇ４３は、金銭の排出口を案内する画像である。会計表Ｇ４４は、第１会計案内画面Ｇ１の会計表Ｇ４４と同様の内容の表である。但し、会計表Ｇ４４は、釣銭を排出する場合に表示される画面のため、会計表Ｇ４４のお預りには投入された金銭の合計が表示され、お釣りには釣銭が表示される。また、第４会計案内画面Ｇ４の表示時には、金銭の投入が終わっているため、支払方法を選択する選択画面に戻る操作を受け付けるボタンや、金銭の投入が終了したことを示す終了操作を受け付けるボタンは表示されない。
【００３１】
金銭制御部１００５は、釣銭部１２０を制御して、投入された金銭の収納や、収納された金銭の排出を実行する。さらに詳しくは、金銭制御部１００５は、金銭が投入されるごとに、一取引で投入された金銭の合計を示す投入金額を算出する。さらに詳しくは、金銭制御部１００５は、投入された金銭の合計を示す投入金額と、合計金額情報が示す合計金額とを比較して、投入金額が合計金額以上になったか否かを判定する。また、金銭制御部１００５は、投入金額が合計金額よりも多い場合に、余剰分の硬貨や紙幣を釣り銭として排出する。
【００３２】
時間計測部１００６は、投入金額が合計金額以上になった場合に、待機時間を計測する。さらに詳しくは、時間計測部１００６は、投入金額が合計金額以上になった場合に、投入金額に基づいて、待機時間を設定する。例えば、投入金額が合計金額以上の場合であっても、少額硬貨の受領を嫌がり、さらに硬貨を投入する顧客がいる。このような顧客の要望にも応じるため、時間計測部１００６は、投入金額と取引の合計金額とが同一の場合と、投入金額が取引の合計金額よりも多い場合とで異なる待機時間を設定する。すなわち、時間計測部１００６は、投入金額が合計金額よりも多い場合には、超過待機時間設定部１０７に設定された待機時間を設定する。一方、時間計測部１００６は、投入金額と合計金額とが同一の場合には、同一待機時間設定部１０６に設定された待機時間を設定する。
【００３３】
そして、時間計測部１００６は、投入金額が合計金額以上になった場合に、時間の計測を開始する。また、時間計測部１００６は、会計処理に関する操作を受け付けた場合に、計測時間を初期化する。そして、時間計測部１００６は、会計処理に関する操作が終了した場合に、初期値から時間を計測する。また、時間計測部１００６は、金銭の投入を受け付けた場合に、計測時間を初期化する。そして、時間計測部１００６は、金銭の受け付けが終了した場合に、初期値から時間を計測する。例えば、時間計測部１００６は、リジェクトにより金銭を返却した場合や金銭が釣銭部１２０に詰まった場合等には、エラー状態が解消されたことを条件に、初期値から時間を計測する。
【００３４】
終了認定部１００７は、所定の条件が満たされた場合に、金銭の投入が終了したと認定する。例えば、終了認定部１００７は、第３会計案内画面Ｇ３に表示されたおわりボタンＧ３５の押下を操作制御部１００２が検出した場合に、金銭の投入が終了したと認定する。また、終了認定部１００７は、投入金額が合計金額以上になってから待機時間が経過したと時間計測部１００６が判定した場合に、金銭の投入が終了したと認定する。
【００３５】
締め処理部１００８は、終了認定部１００７が金銭の投入が終了したと認定した場合に、機能部等に締め処理を実行させる。ここで、締め処理とは、例えば釣銭の排出や、レシートの発行や、取引内容を図示しないストアサーバ等の装置に送信する処理である。例えば、締め処理部１００８は、金銭制御部１００５に釣銭を排出させる。また、締め処理部１００８は、印字制御部１００３にレシートを排出させる。また、締め処理部１００８は、通信制御部１００１に取引内容が示された取引情報を送信させる。
【００３６】
次に、会計装置１０が実行する計測処理について説明する。計測処理とは、商品の合計金額以上の金銭を投入した後に、金銭の投入が終了したと認定するまでの待機時間を計測する処理である。ここで、図８は、会計装置１０が実行する計測処理の一例を示すフローチャートである。
【００３７】
金銭制御部１００５は、金銭の投入を受け付ける（ステップＳ１）。
【００３８】
金銭制御部１００５は、投入された預り金額が、販売対象の商品の合計金額以上であるか否かを判定する（ステップＳ２）。投入された預り金額が、販売対象の商品の合計金額未満であることを条件に（ステップＳ２；Ｎｏ）、会計装置１０は、ステップＳ１に移行する。
【００３９】
投入された預り金額が、販売対象の商品の合計金額以上であることを条件に（ステップＳ２；Ｙｅｓ）、終了認定部１００７は、同一待機時間設定部１０６と、超過待機時間設定部１０７とのうち、何れの待機時間を設定するかを選択する（ステップＳ３）。
【００４０】
時間計測部１００６は、待機時間に初期値を設定する（ステップＳ４）。
【００４１】
時間計測部１００６は、待機時間の計測を開始する（ステップＳ５）。
【００４２】
操作制御部１００２は、おわりボタンＧ３５を押下する操作を受け付けたか否かを判定する（ステップＳ６）。おわりボタンＧ３５の押下を検出したことを条件に（ステップＳ６；Ｙｅｓ）、終了認定部１００７は、金銭の投入が終了したと認定する（ステップＳ７）。
【００４３】
おわりボタンＧ３５の押下を検出していないことを条件に（ステップＳ６；Ｎｏ）、時間計測部１００６は、計測時間が設定した待機時間になったか否かを判定する（ステップＳ８）。
【００４４】
計測時間が設定した待機時間になったことを条件に（ステップＳ８；Ｙｅｓ）、終了認定部１００７は、ステップＳ７において金銭の投入が終了したと認定する。
【００４５】
計測時間が設定した待機時間になっていないことを条件に（ステップＳ８；Ｎｏ）、操作制御部１００２は、第３会計案内画面Ｇ３の支払方法選択ボタンＧ３１を押下する操作を受け付けたか否かを判定する（ステップＳ９）。
【００４６】
支払方法選択ボタンＧ３１を押下する操作を受け付けたことを条件に（ステップＳ９；Ｙｅｓ）、時間計測部１００６は、待機時間に初期値を設定する（ステップＳ１０）。
【００４７】
操作制御部１００２は、支払方法選択ボタンＧ３１で金銭による支払を選択する操作を受け付けたか否かを判定する（ステップＳ１１）。金銭による支払を選択する操作を受け付けていないことを条件に（ステップＳ１１；Ｎｏ）、会計装置１０は、待機する。
【００４８】
金銭による支払を選択する操作を受け付けたことを条件に（ステップＳ１１；Ｙｅｓ）、時間計測部１００６は、待機時間の計測を開始する（ステップＳ１２）。そして、会計装置１０は、ステップＳ６に移行する。
【００４９】
ステップＳ９において、支払方法選択ボタンＧ３１を押下する操作を受け付けていないことを条件に（ステップＳ９；Ｎｏ）、金銭制御部１００５は、金銭の投入を受け付けたか否かを判定する（ステップＳ１３）。
【００５０】
金銭の投入を受け付けていないことを条件に（ステップＳ１３；Ｎｏ）、会計装置１０は、ステップＳ６に移行する。
【００５１】
金銭の投入を受け付けたことを条件に（ステップＳ１３；Ｙｅｓ）、時間計測部１００６は、待機時間に初期値を設定する（ステップＳ１４）。時間計測部１００６は、待機時間の計測を開始する（ステップＳ１５）。会計装置１０は、ステップＳ６に移行する。
【００５２】
締め処理部１００８は、ステップＳ７で金銭の投入が終了したと認定した場合に、締め処理を実行する（ステップＳ１６）。
【００５３】
以上により会計装置１０は、計測処理を終了する。
【００５４】
以上のように、本実施形態に係る会計装置１０は、一取引の合計金額以上の金銭が投入された場合に、おわりボタンＧ３５を表示して、金銭の投入が終了したことを明示する操作を要求する。また、会計装置１０は、最後に金銭が投入されてから設定時間以上経過した場合には、金銭の投入が終了したと認定する。よって、本実施形態に係る会計装置１０は、操作を受け付けていなくても、金銭を投入が終了したと認定することができる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５６】
上記実施形態では、会計装置１０は、一取引の合計金額と投入金額とが同一であるか、投入金額が一取引の合計金額よりも多いかにより、設定する待機時間を変えている。しかしながら、待機時間を変更する条件は、これに限らない。例えば、より少額硬貨になるに従い、受領を嫌がる顧客が増える。そこで、会計装置１０は、一取引の合計金額の最小桁と、投入金額の最小桁とが同一であるか否かにより、待機時間を変更してもよい。すなわち、会計装置１０は、最小桁が異なる場合には、最小桁が同一の場合よりも待機時間を長くしてもよい。また、会計装置１０は、最小桁に限らず、２桁目以上についても同一であるか否かを判定してもよい。
【００５７】
さらに、顧客は、紙幣を投入した場合、さらに硬貨を投入される場合が多い。そこで、会計装置１０は、紙幣が投入されたことで投入金額が一取引の合計金額よりも多くなった場合には、超過待機時間設定部１０７より長い時間を待機時間として設定してもよい。
【００５８】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５９】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００６０】
１０  会計装置
１１０  筐体
１２０  釣銭部
１２１  硬貨投入口
１２２  硬貨出金口
１２３  紙幣投入口
１２４  紙幣出金口
１３０  プリンタ
１３１  レシート発行口
１４０  カードリーダ
１４１  カード挿入口
１５０  表示ポール
１５１  発光部
１５２  番号表示部
１６０  表示部
１６１  タッチパネル
１０１  制御部
１０２  記憶部
１０３  通信インタフェース
１０４  システムバス
１０５  制御プログラム
１０６  同一待機時間設定部
１０７  超過待機時間設定部
１００１  通信制御部
１００２  操作制御部
１００３  印字制御部
１００４  表示制御部
１００５  金銭制御部
１００６  時間計測部
１００７  終了認定部
１００８  締め処理部
【先行技術文献】
【特許文献】
【００６１】
【特許文献１】特開２０１５−１４３９６１号公報
【図１】
2020060831.tif 000003
【図２】
2020060831.tif 000004
【図３】
2020060831.tif 000005
【図４】
2020060831.tif 000006
【図５】
2020060831.tif 000007
【図６】
2020060831.tif 000008
【図７】
2020060831.tif 000009
【図８】
2020060831.tif 000010